(57)【要約】【課題】ゴルフボールの位置情報を用いて取得されたスコアを含むゴルフプレーに関する情報を提供することである。【解決手段】ゴルフ情報提供システム１０は、衛星の電波を受信するＧＰＳ受信機７を有するゴルフボール５の位置情報を取得する位置情報取得部１６と、ゴルフボール５の位置情報に基づいて、ゴルフコースにおけるプレーヤーのゴルフプレーに関する情報を提供する情報提供部１４と、を備えることを特徴とする。【選択図】図１
2018102663.tif 000002
【特許請求の範囲】
【請求項１】
衛星の電波を受信する受信部を有するゴルフボールの位置情報を取得する位置情報取得部と、
前記ゴルフボールの位置情報に基づいて、ゴルフコースにおけるプレーヤーのゴルフプレーに関する情報を提供する情報提供部と、
を備えることを特徴とするゴルフ情報提供システム。
【請求項２】
請求項１に記載のゴルフ情報提供システムにおいて、
前記情報は、前記ゴルフコースを運営するゴルフ場運営サイドに用いられる情報を含むことを特徴とするゴルフ情報提供システム。
【請求項３】
請求項１または請求項２に記載のゴルフ情報提供システムにおいて、
前記情報提供部は、前記ゴルフコースを予め撮影して形成されたコース再現データに前記ゴルフボールの位置情報に基づいて求められた前記ゴルフボールの軌跡を反映させて提供することを特徴とするゴルフ情報提供システム。
【請求項４】
請求項３に記載のゴルフ情報提供システムにおいて、
前記ゴルフコースに吹く風の風速及び風向きに関する風情報を取得する風情報取得部をさらに備え、
前記情報提供部は、前記ゴルフボールの軌跡が反映された前記コース再現データと、前記風情報とに基づいて、前記プレーヤーのゴルフプレーに関するアドバイスを提供することを特徴とするゴルフ情報提供システム。
【請求項５】
請求項１から請求項４のいずれか１項に記載のゴルフ情報提供システムにおいて、
前記情報提供部は、前記ゴルフボールの位置情報に基づいて自動的に求められた前記プレーヤーのゴルフスコアを提供することを特徴とするゴルフ情報提供システム。
【発明の詳細な説明】
【技術分野】
【０００１】
本発明は、ゴルフ情報提供システムに関する。
【背景技術】
【０００２】
従来、ゴルフ場でゴルフを楽しむ際には、各プレーヤーのスコアはスコアカード等に記録する等のように機械を用いずに人手による作業も存在する。このため、スコアカードへの記載漏れ等のように人為的なミスが生じてしまうことがある。
【０００３】
本発明に関連する技術として、特許文献１には、運動器具およびユーザーの少なくとも一方に装着されたモーションセンサーから、センサー信号を取得する第１取得部と、位置情報を取得する第２取得部と、複数のエリアを含む地図情報を取得する第３取得部と、センサー信号に基づいてショットを検出するショット検出部と、ショットが検出されたときの位置情報に基づいて、ショット位置を計測する位置計測部と、ショット位置が複数のエリアのいずれに含まれるかを判定するエリア判定部とを有する打球判定装置が開示されている。
【先行技術文献】
【特許文献】
【０００４】
【特許文献１】特開２０１６−１１６６１１号公報
【発明の概要】
【発明が解決しようとする課題】
【０００５】
上記のように、人手によってゴルフスコアの集計等がなされている場合には、プレーヤー毎に管理しているため、他のプレーヤーとのスコアの比較を一見して把握することが出来ない。このようにゴルフスコア一覧を含め、ゴルフプレーに関する情報が各プレーヤー間で共有されておらず、ゴルフプレーをさらに盛り上げるために、これらの情報が共有できるように提供されることが求められている。
【０００６】
本発明の目的は、ゴルフボールの位置情報を用いて取得されたスコアを含むゴルフプレーに関する情報を提供することである。
【課題を解決するための手段】
【０００７】
本発明に係るゴルフ情報提供システムは、衛星の電波を受信する受信部を有するゴルフボールの位置情報を取得する位置情報取得部と、前記ゴルフボールの位置情報に基づいて、ゴルフコースにおけるプレーヤーのゴルフプレーに関する情報を提供する情報提供部と、を備えることを特徴とする。
【０００８】
また、本発明に係るゴルフ情報提供システムにおいて、前記情報は、前記ゴルフコースを運営するゴルフ場運営サイドに用いられる情報を含むことが好ましい。
【０００９】
また、本発明に係るゴルフ情報提供システムにおいて、前記情報提供部は、前記ゴルフコースを予め撮影して形成されたコース再現データに前記ゴルフボールの位置情報に基づいて求められた前記ゴルフボールの軌跡を反映させて提供することが好ましい。
【００１０】
また、本発明に係るゴルフ情報提供システムにおいて、前記ゴルフコースに吹く風の風速及び風向きに関する風情報を取得する風情報取得部をさらに備え、前記情報提供部は、前記ゴルフボールの軌跡が反映された前記コース再現データと、前記風情報とに基づいて、前記プレーヤーのゴルフプレーに関するアドバイスを提供することが好ましい。
【００１１】
また、本発明に係るゴルフ情報提供システムにおいて、前記情報提供部は、前記ゴルフボールの位置情報に基づいて自動的に求められた前記プレーヤーのゴルフスコアを提供することが好ましい。
【００１２】
さらに、本発明に係るゴルフ情報提供システムにおいて、前記情報提供部は、前記ゴルフボールの動きが止まり、その場で一定期間停止した際に前記ゴルフスコアをカウントアップすることが好適である。
【００１３】
さらに、本発明に係るゴルフ情報提供システムにおいて、前記情報提供部は、前記ゴルフコースにおけるペナルティーエリアに前記ゴルフボールが位置した際に該ゴルフボールの位置情報の取得を停止し、前記受信部を有する別のゴルフボールに切り替えて該別のゴルフボールの位置情報を取得することが好適である。
【発明の効果】
【００１４】
本発明によれば、ゴルフボールの位置情報を用いて取得されたスコアを含むゴルフプレーに関する情報を提供することができる。これにより、各プレーヤーは提供された情報を共有することができ、より一層ゴルフを楽しむことができる。
【図面の簡単な説明】
【００１５】
【図１】本発明に係る実施形態において、ゴルフ情報提供システムの構成図である。
【図２】本発明に係る実施形態において、ゴルフ情報提供システムの利用者端末の画面にゴルフコースとゴルフボールの軌跡が表示される画像を示す図である。
【図３】本発明に係る実施形態において、ゴルフ情報提供システムにおいてスコア管理を行う手順を示すフローチャートである。
【図４】本発明に係る実施形態において、ゴルフ情報提供システムの利用者端末の画面にゴルフコンペの結果が表示される画像を示す図である。
【発明を実施するための形態】
【００１６】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１７】
図１は、ゴルフ情報提供システム１０の構成図である。図２は、ゴルフ情報提供システム１０の利用者端末６の画面にゴルフコースとゴルフボール５の軌跡が表示される画像を示す図である。図３は、ゴルフ情報提供システム１０においてスコア管理を行う手順を示すフローチャートである。図４は、ゴルフ情報提供システム１０の利用者端末６の画面にゴルフコンペの結果が表示される画像を示す図である。
【００１８】
ゴルフ情報提供システム１０は、インターネット等の通信ネットワーク２に接続されて情報の授受を行うサーバー装置を含んで構成される。通信ネットワーク２は、情報の提供を受ける複数の利用者端末６が接続される。利用者端末６は、ユーザーが使用する端末であり、例えば、スマートフォンやタブレット等のモバイル端末やパーソナルコンピューター等で構成される。
【００１９】
ゴルフ情報提供システム１０は、記憶部１２と、情報提供部１４と、位置情報取得部１６と、風情報取得部１８とを備えている。ゴルフ情報提供システム１０は、ゴルフボール５の位置情報を用いて取得されたゴルフスコアを含むゴルフプレーに関する情報を提供することができる。
【００２０】
ゴルフ情報提供システム１０において、記憶部１２以外の各機能は、ハードウェア構成、ソフトウェア構成の何れによっても実現することが可能である。例えば、ソフトウェアによって実現する場合、これらの機能は、実際にはＣＰＵあるいはＭＰＵ、ＲＡＭ、ＲＯＭなどを備えて構成されたサーバー装置上において、ＲＡＭやＲＯＭ、ハードディスク等の記録媒体に記憶されたゴルフ情報提供用プログラム（アプリケーションソフトウェア）が動作することによって実現することができる。
【００２１】
記憶部１２は、ゴルフのプレーヤーの氏名（ニックネームでも可能）やハンディキャップなどの入力された情報を記憶し、ゴルフボール５の位置情報やその他の各種情報を記憶するデータベースを含む記憶装置である。
【００２２】
位置情報取得部１６は、ＧＰＳ受信機７を内蔵するゴルフボール５の位置情報を取得する機能を有している。ＧＰＳ受信機７は、米国国防省が管理する複数のＧＰＳ衛星からの電波を受信し、それぞれのＧＰＳ衛星との距離を割り出すことで、ゴルフボール５の現在位置を割り出している。位置情報取得部１６は、ＧＰＳ受信機７から得られたゴルフボール５の位置を取得し、記憶部１２に記憶していく。ここで、プレーヤーは、自分が使用するゴルフボール５について最初に設定を行うことで位置情報の取得が開始されることになる。
【００２３】
なお、ここでは、ＧＰＳ受信機７を用いるものとして説明したが、ＭＳＡＳを用いて、より精度よく位置情報を求めることも好ましい。ＭＳＡＳとは、例えば、ＧＰＳ信号に含まれる誤差を補正するためのＧＰＳ補強情報を作成し、赤道上空３万６千ｋｍの軌道上にあるＭＴＳＡＴ(Multi-functional Transport Satellite)を経由して航空機に提供する航法システムである。
【００２４】
風情報取得部１８は、ゴルフコースに設置された風向風速計から伝送されてきたゴルフコースに吹く風の風向きと風速に関する情報を取得する機能を有している。
【００２５】
情報提供部１４は、ゴルフボール５の位置情報に基づいて、ゴルフコースにおけるプレーヤーのゴルフプレーに関する情報を提供する機能を有する。情報提供部１４は、航空機を用いてゴルフコースを予め撮影して形成されたコース再現データ３０にゴルフボール５の位置情報に基づいて求められたゴルフボール５の軌跡を反映させて利用者端末６の画面に表示させる。ここで、ゴルフボール５の軌跡は、記憶部１２に記憶されたゴルフボール５の位置情報を取り出してトレースすることで再現することができる。
【００２６】
ここで、ゴルフコースを撮影する航空機とは、様々な航空機を用いることができるが、ゴルフコースの臨場感などが表現できるコース再現データ３０として、例えば、遠隔操縦が可能な無人飛行機の一例であるドローンを用いた撮像データが好ましい。コース再現データ３０は、二次元表示（２Ｄ）または三次元表示（３Ｄ）で表示することが出来き、図２に示されるように、利用者端末６の画面に表示された切替操作部４８を操作することが切り替えることが出来る。なお、ここでは、コース再現データ３０は航空機を用いて撮影したデータを利用するものとして説明したが、もちろん、その他のデータを用いてもよく、例えば、衛星により撮影されたデータを利用することも可能である。
【００２７】
情報提供部１４は、ゴルフボール５の軌跡が反映されたコース再現データ３０と、風情報取得部１８から得られた風向き及び風速に基づいて、プレーヤーのゴルフプレーに関するアドバイスを提供する。例えば、現在のゴルフボール５の位置とグリーン４０上のカップ４２までの距離及びゴルフコースに吹く風の風向きや風速に基づいてプレーヤーが用いるべきクラブの種類や適した打ち方に関する最適な情報を記憶部１２から抽出して、プレーヤーへのアドバイスとして利用者端末６の画面に表示する。なお、風向きと風速については、コース再現データ３０上の風情報表示部４４に表示される。
【００２８】
情報提供部１４は、ゴルフボール５の位置情報に基づいて自動的に求められたプレーヤーのゴルフスコアを提供する。情報提供部１４は、ゴルフボール５の動きが止まり、その場で一定期間停止した際にゴルフスコアをカウントアップする。
【００２９】
具体的には、情報提供部１４は、ゴルフボール５の位置情報が変化したことを検知して、ゴルフボール５が移動したと判断する。このゴルフボール５の動きがあった後に、後述するセーフティエリアで同じ位置に３秒以上停止している場合にプレーヤーの一打が完了したとしてスコアをカウントアップする。ここで、ペナルティーエリアとは、予め定められたコースから外れたＯＢ（ｏｕｔ  ｏｆ  ｂｏｕｎｄｓ）領域およびウォーターハザード領域を意味する。また、セーフティエリアとは、ゴルフコースにおいて上記ペナルティーエリア以外の通常の領域をペナルティーエリアと区別するために領域を意味する。
【００３０】
情報提供部１４は、ゴルフコースにおけるペナルティーエリアにゴルフボール５が位置して停止した際にペナルティポイントを追加した後に該ゴルフボール５の位置情報の取得をロックする。その後、位置情報取得部１６は、当該ゴルフボール５の位置情報を取得しないようになる。そして、その代わりに新しい別のゴルフボール５を設定することで、その後、位置情報取得部１６は、その新しいゴルフボール５の位置情報を取得する。
【００３１】
続いて、上記構成のゴルフ情報提供システム１０の作用について説明する。ここでは、複数人のゴルフプレーヤーがゴルフコンペを行うものとして以下説明する。ゴルフ場に入場後、各プレーヤーはクラブチェックを行うことが一般的であるが、この際に、各自のゴルフボール５が供給される。ここで、各ゴルフボール５が混同することのないように、色分けや模様などにより識別可能にすることが好ましい。
【００３２】
ここで、利用者端末６は、各自のスマートフォンなどを用いてもよいが、ここではタブレット端末を想定している。利用者端末６において、ゴルフ情報提供用プログラム（アプリケーションソフトウェア）を起動し、各プレーヤーと、各人に対応するゴルフボール５との対応関係を最初に設定する。
【００３３】
利用者端末６は、例えば、ゴルフカートの天井部につり下げることで、各プレーヤーが移動中に利用者端末６の画面を楽しみながら移動することができる。コースに向かう前に、コース再現データ３０を３Ｄ映像などによって表示することで、各プレーヤーを高揚させることができる。また、コース再現データ３０と併せて、もしくは、その代わりに、当該ゴルフ場の周辺観光施設に関する広告、その他のＣＭを表示することも好ましい。このまま各プレーヤーは、コースのスタート地点に移動する。
【００３４】
以下では、コースの説明については対応するコース再現データ３０を用いて説明する。プレーヤーがスタート地点に立ち、ティーイングランド３２にて放つ１打目はコース再現データ３０において「１」と表示される。
【００３５】
その後、プレーヤーがスイングして、ＧＰＳ受信機７が搭載されたゴルフボール５が動いた際に自動的にスコアがカウントされる様子を図３のフローチャートを用いて説明する。
【００３６】
最初に、ゴルフボール５が動いたか否かを判断する（Ｓ２）。ゴルフボール５が動いていないと判断された場合は、再びＳ２に戻る。
【００３７】
ゴルフボール５が動き出した後は、ゴルフボール５がペナルティーエリアで３秒以上停止しているか否かを判断する（Ｓ４）。ここで、ペナルティーエリアとは、予め定められたＯＢライン３８を外れた領域およびウォーターハザード３４を示す。また、コース内に設けられたバンカー３６はペナルティーエリアに含まれない。ゴルフボール５がペナルティーエリアで３秒以上停止したか否かは、ゴルフボール５の位置情報に基づいて判断される。
【００３８】
Ｓ４の工程で、ペナルティーエリアに３秒以上停止していると判断された場合は、ペナルティポイントを追加した後、ゴルフボール５の位置情報の取得をロックする（Ｓ１０）。その後、位置情報取得部１６は、当該ゴルフボール５の位置情報を取得しないようになる。そして、その代わりに新しい別のゴルフボール５を設定することで、以後、位置情報取得部１６は、その新しいゴルフボール５の位置情報を取得する。このＳ１０の工程を終えた後は、Ｓ１２の工程へと進む。
【００３９】
Ｓ４の工程で、ペナルティーエリアに３秒以上停止していないと判断された場合には、セーフティエリアで３秒以上停止したか否かが判断される（Ｓ６）。停止したか否かについては、Ｓ４の工程と同様にゴルフボール５の位置情報に基づいて判断する。Ｓ６の工程で、セーフティエリアで３秒以上停止していないと判断された場合には、再び、Ｓ６の工程へと戻る。
【００４０】
セーフティエリアで３秒以上停止した場合は、スコアをカウントアップする（Ｓ８）。Ｓ８の工程の後は、ゴルフボール５がグリーン４０内のカップ４２に入ったか否かが判断される（Ｓ１２）。Ｓ１２の工程において、カップ４２に入ったと判断された場合は、ＥＮＤ処理を行い、カップ４２に入っていないと判断された場合は、ＲＥＴＵＲＮ処理へと進む。このような工程が実行されてスコア管理が行われることになる。
【００４１】
なお、ここでは、ゴルフボール５の位置情報に基づいて、ティーイングランド３２内でゴルフボール５が動き出した後に１打目とカウントしてカウントを開始し、カップ４２内に入ったときにカウントを終了するものとして説明したが、その他の手法を用いてカウントしてもよい。例えば、ゴルフボール５の存在を識別するセンサーをティーイングランド３２及びカップ４２に設置することでカウントの開始と終了を識別できるようにすることも好ましい。
【００４２】
また、ゴルフボール５の位置情報を用いてグリーン４０内でゴルフボール５の高さが階段状に変化した場合（例えば、急に５ｃｍ低くなる）にカップ４２内に入ったものとしてもよい。さらに、プレーヤーによっては、カップ４２の近傍にゴルフボール５が位置した場合にカップ４２内に入ったものとして当該コースを終了した操作ボタンを設けてカウントを終了するようにしてもよい。さらに、隣接するコース間を移動する移動領域においてはゴルフボール５の位置情報を取得せずにカウントアップしないようにすることも好適である。
【００４３】
このように各プレーヤーのスコア管理がなされることで、コンペの途中経過やコンペ結果を例えば図４のような一覧にまとめて利用者端末６に表示することができる。これにより、各プレーヤーは、従来のように手書きによるスコア管理の必要がないため集計ミス等を防止できるとともに、例えば、コース間をカートで移動中に利用者端末６の画面でコンペの途中経過を楽しむことができ、コンペを盛り上げることができるという利点がある。また、各プレーヤーは、あたかもプロのようにゴルフのトーナメントに参加してプレーしているような体験をすることができるという効果が期待される。なお、スコアについては、必要に応じて、利用者端末６等を通じて変更することができるようにしておくことが好ましい。
【００４４】
また、例えば、プレーヤーが１打目で、コース再現データ３０の略中央部の「２」で表示される地点までゴルフボール５が飛んだ際には、この地点から２打目を打つことになる。ここで、情報提供部１４は、現状のゴルフボール５の位置とグリーン４０上のカップ４２までの距離及びゴルフコースに吹く風の風向きや風速に基づいてプレーヤーが用いるべきクラブの種類や適した打ち方に関する最適な情報を記憶部１２から抽出して、プレーヤーへのアドバイス４６として利用者端末６の画面に表示する。これにより、プレーヤーはキャディ等の助言に頼ることなく、ゴルフプレーを行うことができるメリットがある。また、このように従来のキャディ業務をゴルフ情報提供システム１０に代替させることで、キャディは、より顧客満足度を高めるようなコンシェルジュ業務に専念することができる利点がある。
【００４５】
さらに、上記のように、ゴルフ情報提供システム１０を用いて、自動的にスコア管理させることで、ゴルフ場を運営するゴルフ場運営サイドもこれらのデータを用いて、効率よく集計業務を行うことができるとともに、プレーヤーのスコアの状況を予め把握することができる。これにより、例えば、スコアの良かったプレーヤーに対してプレーに関して褒める内容の声掛けなどをすることで顧客満足度を高めることができる。また、各プレーヤーのゴルフプレーの状況もリアルタイムで把握することができる。
【００４６】
上述したようにゴルフ情報提供システム１０を用いることで、プレーヤーの顧客満足度を高めるだけでなく、ゴルフ場の運営サイドの業務改善にも繋がるとともに、従来のキャディ業務を大幅に削減するとともに各キャディの知識差を埋めるように一定の品質の案内ができるようにすることで、より顧客満足度を高めるコンシェルジュ業務にシフトすることができる。
【００４７】
また、ゴルフ情報提供システム１０の活用例は、上記のみならず、様々な面に適用可能である。例えば、ゴルフ情報提供システム１０を通じて、スマートフォンなどの利用者端末６からゴルフ場の予約をする機能を追加したり、この予約をすることでゴルフ場への来場ポイントをつけたり、割引サービスを適用可能にすることも好ましい。
【００４８】
ゴルフボール５の位置情報を用いて様々な解析をすることができ、例えば、各プレーヤーのボールスピードやボールの曲がり方などの癖を分析してアドバイス情報として提供することもできる。また、ゴルフ情報提供システム１０のゴルフ情報提供用プログラムとＶＲ（Ｖｉｒｔｕａｌ  Ｒｅａｌｉｔｙ）と連動させて、ゴルフ場に来ない状態であっても、所定の範囲でゴルフを体験できるようにすることで、ゴルフ場の集客へと繋げることが期待される。
【符号の説明】
【００４９】
２  通信ネットワーク、５  ゴルフボール、６  利用者端末、７  ＧＰＳ受信機、１０ゴルフ情報提供システム、１２  記憶部、１４  情報提供部、１６  位置情報取得部、１８  風情報取得部、３０  コース再現データ、３２  ティーイングランド、３４  ウォーターハザード、３６  バンカー、３８  ＯＢライン、４０  グリーン、４２  カップ、４４  風情報表示部、４６  アドバイス、４８  切替操作部。
【図１】
2018102663.tif 000003
【図２】
2018102663.tif 000004
【図３】
2018102663.tif 000005
【図４】
2018102663.tif 000006